(57)【要約】【課題】トリガー（操作部）操作時のスイッチ内部の空気の移動を良好にさせ、高い防塵性、防水性を有するトリガースイッチを提供する。【解決手段】スイッチ機構を密閉状態で配置してなるスイッチ室を有するケースと、スイッチ機構に連設したプランジャーの一端に係合係止してスイッチの操作に用いられる操作部と、を備えたトリガースイッチであって、プランジャーに貫通孔を備えたことである。【選択図】  図３
2015035301.tif 000002
【特許請求の範囲】
【請求項１】
スイッチ機構を密閉状態で配置してなるスイッチ室を有するケースと、
前記スイッチ機構に連設したプランジャーの一端に係合係止してスイッチの操作に用いられる操作部と、
を備えたトリガースイッチであって、
前記プランジャーに貫通孔を備えたことを特徴とするトリガースイッチ。
【請求項２】
前記操作部は、前記プランジャーが係合係止する端部に前記貫通孔からの空気を逃がす排出口を備えたことを特徴とする請求項１に記載のトリガースイッチ。
【請求項３】
前記貫通孔は前記プランジャーの中心軸に設けたことを特徴とする請求項１乃至２に記載のトリガースイッチ。
【請求項４】
前記貫通孔の内部に球状のボールを備えたことを特徴とする請求項１に記載のトリガースイッチ。
【請求項５】
前記貫通孔の端部に空気を通し、水分粉塵を遮断する薄膜シートを配置したことを特徴とする請求項１に記載のトリガースイッチ。
【請求項６】
スイッチ機構を密閉状態で配置してなるスイッチ室を有するケースと、
前記スイッチ機構に連設したプランジャーの一端に係合係止してスイッチの操作に用いられる操作部と，
を備えたトリガースイッチであって、
前記スイッチ室の一部に空洞の空隙部を設け、該空隙部に弾性体の薄膜シートを配置したことを特徴とするトリガースイッチ。  
【請求項７】
前記薄膜シートは、風船状に膨張する弾性体であることを特徴とする請求項６に記載のトリガースイッチ。
【請求項８】
スイッチ機構を密閉状態で配置してなるスイッチ室を有するケースと、
前記スイッチ機構に連設したプランジャーの一端に係合係止してスイッチの操作に用いられる操作部と、
を備えたトリガースイッチであって、
前記スイッチ室に隣接する位置に一定の空間を有する空気排出室を備え、該空気排出室とスイッチ室との間を連通する連通口を備え、該連通口に弾性体の薄膜シートを配置したことを特徴とするトリガースイッチ。
【請求項９】
前記薄膜シートは、風船状に膨張する弾性体であることを特徴とする請求項８に記載のトリガースイッチ。
【請求項１０】
スイッチ機構を密閉状態で配置してなるスイッチ室を有するケースと、
前記スイッチ機構に連設したプランジャーの一端に係合係止してスイッチの操作に用いられる操作部と、
を備えたトリガースイッチであって、
前記スイッチ機構が収納されている前記スイッチ室に前記スイッチ機構が駆動するのに必要なスペースに合う容積のダミー軸を予め配置したことを特徴とするトリガースイッチ。
【請求項１１】
前記ダミー軸は、前記スイッチ機構に連結され、前記スイッチ機構の動きに連動して前記スイッチ室の外方向に突出する構成にしたことを特徴とする請求項１０に記載のトリガースイッチ。
【発明の詳細な説明】
【技術分野】
【０００１】
本発明は、トリガースイッチに関し、詳しくは、電動ドリル等の電動工具に搭載されているトリガースイッチに関するものであり、トリガー操作時のスイッチ内部の空気の移動を良好にさせることにより、高い防塵性、防水性を具現化させたトリガースイッチに関する。
【背景技術】
【０００２】
従来技術におけるトリガースイッチは、スイッチ機構を内蔵したケースと、このケースを封止するためのカバーと、スイッチ機構を駆動させるために外部に設けた操作部とから構成されている。
操作部とスイッチ機構はプランジャーで連結されプランジャーを出し入れすることによりスイッチのオン／オフを行う構成となっている。
そして、ケース内部のスイッチ機構は密閉した空間に配置させ、操作部を引き込むことにより連結しているプランジャーが引き込まれてスイッチをオンする構成となっている。
【先行技術文献】
【特許文献】
【０００３】
【特許文献１】特開２０１３−５４３１０号公報
【発明の概要】
【発明が解決しようとする課題】
【０００４】
しかしながら、従来技術で説明したトリガースイッチにおいて、電動工具等のスイッチには電動工具を動作させるための摺動する操作部（トリガー）があるため、接着剤等を使用してケースとカバーを封止しても、スイッチ操作時に塵埃や水分がスイッチ内部に侵入する可能性がある。
また、スイッチのボデイとなるケースとカバーを接着剤等で密封したとしても、トリガーを摺動させた際、スイッチ内外に空気の呼吸（逃げ道がなく空気の移動が困難）がしづらくなるため、スイッチ動作に悪影響を及ぼす可能性がある。
【０００５】
１
従って、トリガー操作時のスイッチ内部の空気の移動を良好にさせ、高い防塵性、防水性を有するスイッチを提供することに解決しなければならない課題を有する。
【課題を解決するための手段】
【０００６】
上記課題を解決するために、本願発明のトリガースイッチは、次に示す構成にすることである。
【０００７】
（１）トリガースイッチは、スイッチ機構を密閉状態で配置してなるスイッチ室を有するケースと、前記スイッチ機構に連設したプランジャーの一端に係合係止してスイッチの操作に用いられる操作部と、を備えたトリガースイッチであって、前記プランジャーに貫通孔を備えたことである。
（２）前記操作部は、前記プランジャーが係合係止する端部に前記貫通孔からの空気を逃がす排出口を備えたことを特徴とする（１）に記載のトリガースイッチ。
（３）前記貫通孔は前記プランジャーの中心軸に設けたことを特徴とする（１）乃至（２）に記載のトリガースイッチ。
（４）前記貫通孔の内部に球状のボールを備えたことを特徴とする（１）に記載のトリガースイッチ。
（５）前記貫通孔の端部に空気を通し、水分粉塵を遮断する薄膜シートを配置したことを特徴とする（１）に記載のトリガースイッチ。
【０００８】
（６）トリガースイッチは、スイッチ機構を密閉状態で配置してなるスイッチ室を有するケースと、前記スイッチ機構に連設したプランジャーの一端に係合係止してスイッチの操作に用いられる操作部と，を備えたトリガースイッチであって、前記スイッチ室の一部に空洞の空隙部を設け、該空隙部に弾性体の薄膜シートを配置したことである。
（７）前記薄膜シートは、風船状に膨張する弾性体であることを特徴とする（６）に記載のトリガースイッチ。
【０００９】
（８）トリガースイッチは、スイッチ機構を密閉状態で配置してなるスイッチ室を有するケースと、前記スイッチ機構に連設したプランジャーの一端に係合係止してスイッチの操作に用いられる操作部と、を備えたトリガースイッチであって、前記スイッチ室に隣接する位置に一定の空間を有する空気排出室を備え、該空気排出室とスイッチ室との間を連通する連通口を備え、該連通口に弾性体の薄膜シートを配置したことである。
（９）前記薄膜シートは、風船状に膨張する弾性体であることを特徴とする（８）に記載のトリガースイッチ。
【００１０】
（１０）トリガースイッチは、スイッチ機構を密閉状態で配置してなるスイッチ室を有するケースと、前記スイッチ機構に連設したプランジャーの一端に係合係止してスイッチの操作に用いられる操作部と、を備えたトリガースイッチであって、前記スイッチ機構が収納されている前記スイッチ室に前記スイッチ機構が駆動するのに必要なスペースに合う容積のダミー軸を予め配置したことである。
（１１）前記ダミー軸は、前記スイッチ機構に連結され、前記スイッチ機構の動きに連動して前記スイッチ室の外方向に突出する構成にしたことを特徴とする（１０）に記載のトリガースイッチ。
【発明の効果】
【００１１】
本発明に係るトリガースイッチは、スイッチ機構を有する密閉したケース内部における空気の流入をなくすようにプランジャーに貫通孔を設け、操作部を引き込むとこの貫通孔を介してスイッチ機構内部の空気が押し出されることでスイッチ機構の空気圧の変化を極力抑制することができ、そのため空気圧の変化による塵埃及び水分等の流入を防ぐことができる。
【００１２】
又、プランジャーに設けた貫通孔内部にボールを配置した構成にすることで、貫通孔をとおして流入する空気に含まれる粉塵水分等をブロックすることができる。
【００１３】
さらに、貫通孔の端部に薄膜シートを備えた構成にすることで、貫通孔内部に混入する粉塵水分等をブロックすることでスイッチ室に入るのを未然に防ぐことができる。
【００１４】
また、スイッチ室の一部に空洞の空隙部を設け、この空隙部に弾性体の薄膜シートを配置した構成にすることで、スイッチ室での空気の圧力を薄膜シートで受けることができ、スイッチ機構の移動により発生する空気の圧力を逃がすことができる。
【００１５】
更に、スイッチ室に隣接する上部位置に一定の空間を有する空気排出室を備え、この空気排出室とスイッチ室との間を連通する連通口を備え、この連通口に弾性体の薄膜シートを配置した構成にすることで、操作部をフルストロークした際に薄膜シートが風船状に膨らむことでスイッチ機構に押し込まれている空気を逃がすことができる。
【００１６】
さらに、スイッチ機構が収納されているスイッチ室にスイッチ機構が駆動するのに必要なスペースに合う容積のダミー軸を予め配置した構成にすることで、スイッチ機構がスイッチ室内で移動してもスイッチ室内部の空気量及び空気圧を一定に保つことができる。
【図面の簡単な説明】
【００１７】
【図１】本願発明に係る第１実施例のトリガースイッチを略示的に示した説明図である。
【図２】同、操作部を引き込んだときの様子を示す説明図である。
【図３】本願発明に係る第２実施例のトリガースイッチを略示的に示した説明図である。
【図４】本願発明に係る第３実施例のトリガースイッチを略示的に示した説明図である。
【図５】本願発明に係る第４実施例のトリガースイッチを略示的に示した説明図である。
【図６】同、操作部を引き込んだときの様子を示す説明図である。
【図７】本願発明に係る第５実施例のトリガースイッチを略示的に示した説明図である。
【図８】同、操作部を引き込んだときの様子を示す説明図である。
【図９】本願発明に係る第６実施例のトリガースイッチを略示的に示した説明図である。
【図１０】同、操作部を引き込んだときの様子を示す説明図である。
【発明を実施するための最良の形態】
【００１８】
本願発明に係るトリガースイッチの実施形態について、図面を参照して説明する。  
【００１９】
本発明に係る第１実施例のトリガースイッチは、所謂、プランジャーの軸に貫通孔を備えて空洞化することにより、操作部（トリガー）操作時の空気の逃げ道を形成したものである。
【００２０】
それは、図１及び図２に示すように、ケース１１の内部に密封されたスイッチ室１２を設け、このスイッチ室１２にプランジャー１３に連結したスイッチ機構１４が収納されている。プランジャー１３はケース１１の摺動口１５から外部に延出され、その先端部位はケース１１の外部に配置される操作部（トリガー）２１のプランジャー係合部２２に係合係止された構成となっている。
【００２１】
プランジャー１３は、中心軸に貫通孔１６を設け、この貫通孔１６がスイッチ機構１４の復帰バネ１７を収納する収納部１８に連通し、他方の貫通孔１６の出口が操作部２１のプランジャー係合部２２の最奥部の壁２３に対向するように係合係止される。プランジャー係合部２２は、略円筒形状に形成され、その中間位置で下方向に空気を逃がすための排出口２４を設けた構造となっている。
【００２２】
このような構成のスイッチにおいて、先ず、操作部２１の操作により引き込まれるとスイッチ室１２のスイッチ機構１４が移動してスイッチ室１２の空気を圧迫する。圧迫された空気がプランジャー１３の貫通孔１６に流入し、貫通孔１６に流入した空気は操作部２１に係合係止されているプランジャー１３の先端口から排出され、排出された空気は操作部２１の排出口２４から排出される。
【００２３】
又、引き込まれた操作部２１をもとに戻す操作をすると、スイッチ室１２のスイッチ機構１４が元の位置に回復することによりスイッチ室１２の空気が減圧状態になるが、その減圧したぶんを貫通孔１６をとおして流入させることでスイッチ室１２内部の空気圧の変動は解消される。
【００２４】
以上のように、スイッチ室１２に留まっている空気はスイッチ機構１４の移動により加圧されることなく貫通孔１６を経由して排出されるため、スイッチ室１２での加圧或いは減圧による僅かな隙間からの粉塵及び水分の流入を防ぐことができるのである。
【００２５】
次に、第２実施例のトリガースイッチについて説明する。
第２実施例のトリガースイッチは、プランジャー軸に貫通孔を設けて空洞化することによりトリガー操作時の空気の逃げ道を形成することに加えて、空洞化させたプランジャー軸の貫通孔内部にボールを配置した構成にすることにより、より防塵性、防水性を向上させるというものである。
【００２６】
それは、図３に示すように、ケース１１の内部に密封されたスイッチ室１２を設け、このスイッチ室１２にプランジャー１３に連結したスイッチ機構１４が収納されている。プランジャー１３はケース１１の摺動口から外部に延出され、その先端部位はケース１１の外部に配置される操作部２１のプランジャー係合部２２に係合係止された構成となっている。
【００２７】
プランジャー１３は、中心軸に貫通孔１６を設け、この貫通孔１６がスイッチ機構１４の復帰バネ１７を収納する収納部に連通し、他方の貫通孔１６の出口が操作部２１のプランジャー係合部２２の最奥部の壁に対向するように係合係止される。プランジャー係合部２２は、略円筒形状に形成され、その中間位置で下方向に空気を逃がすための排出口２４を設けた構造となっている。
貫通孔１６の内部には、球状のボール２６が配置されている。このボール２６は、貫通孔１６の操作部２１側の先端が先窄みに形成されているため抜け出ることはない。
【００２８】
このような構成のスイッチにおいて、先ず、操作部２１の操作により引き込まれるとスイッチ室１２のスイッチ機構１４が移動してスイッチ室１２の空気を圧迫する。圧迫された空気がプランジャー１３の貫通孔１６に流入し、貫通孔１６に流入した空気はボール２６を押しながら操作部２１に係合係止されているプランジャー１３の先端口から排出され、排出された空気は操作部２１の排出口２４から排出される。
【００２９】
又、引き込まれた操作部２１をもとに戻す操作をすると、スイッチ室１２のスイッチ機構１４が元の位置に回復することによりスイッチ室１２の空気が減圧状態になるが、その減圧したぶんを貫通孔１６をとおして流入させ、ボール２６を押し戻しながらスイッチ室１２に空気を流入することでスイッチ室１２内部の空気圧の変動は解消される。
【００３０】
このように、ボール２６を貫通孔１６内部に配置させることで、貫通孔１６内部を通る粉塵や水滴等をブロックすることが可能で、特に操作部２１を元に戻す操作をしたときに貫通孔１６から空気が流入する際に空気と混じって吸い込まれる粉塵や水滴をブロックすることができる。
【００３１】
次に、第３実施例のトリガースイッチについて説明する。
第３実施例のトリガースイッチは、プランジャー軸を空洞化することによりトリガー操作時の空気の逃げ道を形成することに加えて、空洞化させたプランジャー軸の貫通孔の端部に薄膜シートを配置した構成にすることにより、より防塵性、防水性を向上させるというものである。
【００３２】
それは、図４に示すように、ケース１１の内部に密封されたスイッチ室１２を設け、このスイッチ室１２にプランジャー１３に連結したスイッチ機構１４が収納されている。プランジャー１３はケース１１の摺動口１５から外部に延出され、その先端部位はケース１１の外部に配置される操作部２１のプランジャー係合部２２に係合係止された構成となっている。
【００３３】
プランジャー１３は、中心軸に貫通孔１６を設け、この貫通孔１６がスイッチ機構１４の復帰バネ１７を収納する収納部１８に連通し、他方の貫通孔１６の出口が操作部２１のプランジャー係合部２２の最奥部の壁に対向するように係合係止される。プランジャー係合部２２は、略円筒形状に形成され、その中間位置で下方向に空気を逃がすための排出口２４を設けた構造となっている。
【００３４】
貫通孔１６のスイッチ室１２側端部には、薄膜シート２７が配置されている。この薄膜シート２７は、空気を通し、水分粉塵を遮断し且つ柔軟な弾性部材で形成され、操作部２１が引き込まれると貫通孔１６内部に風船状に膨張する。
【００３５】
このような構成のスイッチにおいて、先ず、操作部２１の操作により引き込まれるとスイッチ室１２のスイッチ機構１４が移動してスイッチ室１２の空気を圧迫する。圧迫された空気がプランジャー１３の貫通孔１６に流入し、貫通孔１６に流入した空気は薄膜シート２７を貫通孔１６内部に膨張させながら操作部２１に係合係止されているプランジャー１３の先端口から排出され、排出された空気は操作部２１の排出口２４から排出される。
【００３６】
又、引き込まれた操作部２１をもとに戻す操作をすると、スイッチ室１２のスイッチ機構１４が元の位置に回復することによりスイッチ室１２の空気が減圧状態になるが、その減圧したぶんを貫通孔１６をとおして流入させ、薄膜シート２７を元の形に戻しながらスイッチ室１２に空気を流入することでスイッチ室１２内部の空気圧の変動は解消される。
【００３７】
このように、薄膜シート２７を貫通孔１６端部に配置させることで、貫通孔１６内部を通る粉塵や水滴等をブロックすることが可能で、特に操作部２１を元に戻す操作をしたときに貫通孔１６から空気が流入する際に空気と混じって吸い込まれる粉塵や水滴をブロックすることができる。
尚、実施例において、貫通孔１６の端部に配置される薄膜シート２７は、空気を通し、水分粉塵を遮断し且つ柔軟な弾性部材で形成されているがこれに限定されることなく、柔軟な弾性部材でなく且つ空気を通し、水分粉塵を遮断する部材で形成してもよい。
更に、薄膜シート２７は、空気を通さない部材で柔軟な弾性部材で形成してもよい。この場合は、操作部２１が引き込まれたときに貫通孔１６内部に風船状に膨張することでスイッチ室１２内部の空気圧を一定にする。
【００３８】
次に、第４実施例のトリガースイッチについて説明する。
第４実施例のトリガースイッチは、プランジャー摺動部と反対側に薄いシートを配置し、操作部（トリガー）をフルストロークした際にシートが風船状に膨らむことでスイッチ機構に押し込まれている空気を逃がすというものである。
このようなトリガースイッチは、図５及び図６に示すように、ケース１１の内部に密封されたスイッチ室１２を設け、このスイッチ室１２にプランジャー１３に連結したスイッチ機構１４が収納されている。プランジャー１３はケース１１の摺動口１５から外部に延出され、その先端部位はケース１１の外部に配置される操作部２１に係合係止された構成となっている。
【００３９】
スイッチ室１２の背後の壁に空洞を設けて形成された空隙部３１を設け、この空隙部３１に弾性体の薄膜シート３２を取り付けた構成となっている。この薄膜シート３２は風船状に膨らむことができるものである。
【００４０】
このような構成のスイッチにおいて、先ず、操作部２１の操作により引き込まれるとスイッチ室１２のスイッチ機構１４が移動してスイッチ室１２の空気を圧迫する。圧迫された空気が空隙部３１に配置されている薄膜シート３２を圧迫して風船状に膨らみ、圧迫された空気を逃がすことができるため、スイッチ室１２での空気の変動は抑制される。
【００４１】
又、引き込まれた操作部２１をもとに戻す操作をすると、スイッチ室１２のスイッチ機構１４が元の位置に回復することによりスイッチ室１２の空気が減圧状態になるが、その減圧したぶんを膨らんだ薄膜シート３２が元の状態に回復することによりスイッチ室１２内部の空気圧の変動は解消される。
【００４２】
次に、第５実施例のトリガースイッチについて説明する。
第５実施例のトリガースイッチは、ケース内部であってスイッチ室に隣接する箇所に所定の空間を有する空気排出室を設け、この空気排出室とスイッチ室との通過する連通口の位置に薄膜シートを取付け、操作部（トリガー）をフルストロークした際に薄膜シートが風船状に膨らむことでスイッチ機構に押し込まれている空気を逃がすというものである。
【００４３】
このようなトリガースイッチは、図７及び図８に示すように、ケース１１の内部に密封されたスイッチ室１２を設け、このスイッチ室１２にプランジャー１３に連結したスイッチ機構１４が収納されている。プランジャー１３はケース１１の摺動口から外部に延出され、その先端部位はケース１１の外部に配置される操作部２１に係合係止された構成となっている。
【００４４】
そして、スイッチ室１２と隣接した上部位置に所定の空間を有する空気排出室３５が設けられ、連通口３７でスイッチ室１２と連通している。空気排出室３５には大気と接触する大気口３８が設けられている。この連通口３７に薄膜シート３６が配置されている。この薄膜シート３６は風船状に膨らむことができる。
【００４５】
このような構成のスイッチにおいて、先ず、操作部２１の操作により引き込まれるとスイッチ室１２のスイッチ機構１４が移動してスイッチ室１２の空気を圧迫する。圧迫された空気が空気排出室３５方向に押し出され、薄膜シート３６を空気排出室３５方向に膨張させて空気を逃がす。そのため、スイッチ室１２で圧迫された空気は空気排出室３５方向に逃がすことができるためスイッチ室１２での空気の圧力変動は回避できる。
【００４６】
又、引き込まれた操作部２１をもとに戻す操作をすると、スイッチ室１２のスイッチ機構１４が元の位置に回復することによりスイッチ室１２の空気が減圧状態になるが、その減圧したぶんを空気排出室３５方向に膨らんだ薄膜シート３６が回復することによりスイッチ室１２内部の空気圧の変動は解消される。
尚、実施例において薄膜シート３６は、風船状に膨らむ柔軟な部材で形成されているが、これに限定されることなく、風船状に膨らまないもので且つ空気を通し水分粉塵を遮断する部材で形成してもよい。このような薄膜シート３６を使用した場合には、操作部２１を引き込むとスイッチ室１２の空気が圧迫され、圧迫された空気が空気排出室３５方向に薄膜シート３６を通過して流れ込み、流れ込んだ空気は大気口３８から外に出すことでスイッチ室１２で圧迫された空気の圧力変動は回避できる。逆に、操作部２１を元に戻す操作をすると、スイッチ室１２の空気が減圧状態となるため、大気口３８から空気を吸い込んで空気排出室３５に入り込み、空気排出室３５に入り込んだ空気は薄膜シート３６を介してスイッチ室１２に空気が入りこむことで空気圧の変動は回避できる。このとき、薄膜シート３６は空気のみを通すため、外部からの水分粉塵は完全にブロックすることが可能である。
更に、薄膜シート３６は、風船状に膨らむ柔軟な部材で且つ空気を通し、水分粉塵を遮断する部材で形成してもよい。この場合は、操作部２１が操作されてスイッチ室１２の空気が圧迫されると薄膜シート３６が空気排出室３５方向に膨張してスイッチ室１２での空気の圧力変動を解消させる。操作部２１を元に戻す操作をすると、スイッチ室１２の空気が減圧状態になるため空気排出室３５方向に膨らんだ薄膜シート３６が元の状態に回復することによりスイッチ室での空気圧の変動が回避される。このとき薄膜シートは膨張してからもとに戻るが、外部への変動による水分や粉塵の侵入は薄膜シート３６でブロックされる。
【００４７】
次に、第６実施例のトリガースイッチについて説明する。
第６実施例のトリガースイッチは、ケース内部であってスイッチ室に配置されているスイッチ機構にプランジャーと同様のダミー軸を予め備えておき、スイッチ機構の動きに応じて出し入れできる構造にすることで、スイッチ室内部の空気量及び空気圧を一定に保つというものである。
【００４８】
このようなトリガースイッチは、図９及び図１０に示すように、ケース１１の内部に密封されたスイッチ室１２を設け、このスイッチ室１２にプランジャー１３と連結したスイッチ機構１４が収納されている。プランジャー１３はケース１１の摺動口１５から外部に延出され、その先端部位はケース１１の外部に配置される操作部２１に係合係止された構成となっている。
【００４９】
そして、スイッチ室１２に収納されているスイッチ機構１４には結合されているプランジャー１３と同様のダミー軸４１が設けられ、このダミー軸４１はスイッチ室１２の空間でスイッチ機構１４の移動により圧縮される空間に対応する体積を有するもので、ケース１１から外に突出できるように突出口４２に臨ました状態で配置されている。
【００５０】
このような構成のスイッチにおいて、先ず、操作部２１の操作により引き込まれるとスイッチ室１２のスイッチ機構１４が移動してスイッチ室１２の空気を圧迫する。しかしながら、スイッチ室１２の余分な空間はダミー軸４１で占有されているため圧迫する空気は少ない。そのため圧迫される空気による加圧や圧力変動は極めて少なくすることができる。
【００５１】
又、引き込まれた操作部２１をもとに戻す操作をすると、スイッチ室１２のスイッチ機構１４が元の位置に回復することに連動してダミー軸４１がスイッチ室１２に入りこむことによりスイッチ室１２の空気が減圧状態になるぶんを入り込んだダミー軸４１によりスイッチ室１２内部の空気圧の変動は解消される。
【産業上の利用可能性】
【００５２】
トリガー操作時のスイッチ内部の空気の移動を良好にさせ、高い防塵性、防水性を有するトリガースイッチを提供する。
【符号の説明】
【００５３】
１１      ケース
１２      スイッチ室
１３      プランジャー
１４      スイッチ機構
１５      摺動口
１６      貫通孔
１７      復帰バネ
１８      収納部
２１      操作部
２２      プランジャー係合部
２３      壁
２４      排出口
２６      ボール
２７      薄膜シート
３１      空隙部
３２      薄膜シート
３５      空気排出室
３６      薄膜シート
３７      連通口
３８      大気口
４１      ダミー軸
４２      摺動口
【図１】
2015035301.tif 000003
【図２】
2015035301.tif 000004
【図３】
2015035301.tif 000005
【図４】
2015035301.tif 000006
【図５】
2015035301.tif 000007
【図６】
2015035301.tif 000008
【図７】
2015035301.tif 000009
【図８】
2015035301.tif 000010
【図９】
2015035301.tif 000011
【図１０】
2015035301.tif 000012